【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
無線通信装置と、当該無線通信装置とそれぞれ無線で接続して通信を行う複数の相手方通信装置とを含む無線通信システムであって、
前記無線通信装置は、
前記複数の相手方通信装置のそれぞれからの接続要求に応じて、当該複数の相手方通信装置のそれぞれに対して、互いに異なる、前記無線通信装置と接続するための無線通信パラメータを通知する通知手段と、
第１の相手方通信装置に通知した第１の無線通信パラメータを用いて接続を確立するためのメッセージを送信して、前記第１の無線通信パラメータを用いた接続を確立すると共に、前記第１の無線通信パラメータを用いた前記接続が切断されると、第２の相手方通信装置に通知した第２の無線通信パラメータを用いて接続を確立するためのメッセージを送信して、前記第２の無線通信パラメータを用いた接続の確立を試みる確立手段と、
を有し、
前記複数の相手方通信装置のそれぞれは、
前記無線通信装置に前記接続要求をした後に、前記無線通信パラメータを受信する受信手段と、
受信した前記無線通信パラメータを用いた前記無線通信装置との接続を確立するための前記メッセージを検出する検出手段と、
前記メッセージを検出したことに応じて、前記無線通信装置と無線で接続する接続手段と、
を有することを特徴とする無線通信システム。
【請求項２】
無線通信装置と、当該無線通信装置とそれぞれ無線で接続して通信を行う複数の相手方通信装置とを含む無線通信システムであって、
前記無線通信装置は、
前記複数の相手方通信装置のそれぞれからの接続要求から、当該複数の相手方通信装置のそれぞれが転送するデータ量を取得する取得手段と、
前記複数の相手方通信装置のうちの少なくとも２つについての前記データ量の合計が前記無線通信装置が保持できる量である場合、前記複数の相手方通信装置のうちの少なくとも２つに対して同一の、前記無線通信装置と接続するための無線通信パラメータを通知すると共に、前記複数の相手方通信装置のうちの少なくとも２つについての前記データ量の合計が前記無線通信装置が保持できる量でない場合、当該複数の相手方通信装置のうちの少なくとも２つに対して、互いに異なる前記無線通信パラメータを通知する通知手段と、
第１の相手方通信装置に通知した第１の無線通信パラメータを用いて接続を確立するためのメッセージを送信して、前記第１の無線通信パラメータによる接続を確立すると共に、前記第１の無線通信パラメータを用いた前記接続が切断されると、第２の相手方通信装置に通知した第２の無線通信パラメータを用いて接続を確立するためのメッセージを送信して、前記第２の無線通信パラメータによる接続の確立を試みる確立手段と、
を有し、
前記複数の相手方通信装置のそれぞれは、
前記無線通信装置に前記接続要求をした後に、前記無線通信パラメータを受信する受信手段と、
受信した前記無線通信パラメータを用いた前記無線通信装置との接続を確立するための前記メッセージを検出する検出手段と、
前記メッセージを検出したことに応じて、前記無線通信装置と無線で接続する接続手段と、
を有することを特徴とする無線通信システム。
【請求項３】
複数の相手方通信装置のそれぞれと無線で接続して通信を行う無線通信装置であって、
前記複数の相手方通信装置のそれぞれからの接続要求に応じて、当該複数の相手方通信装置のそれぞれに対して、互いに異なる、前記無線通信装置と接続するための無線通信パラメータを通知する通知手段と、
第１の相手方通信装置に通知した第１の無線通信パラメータを用いて接続を確立するためのメッセージを送信して、前記第１の相手方通信装置との間の接続を確立すると共に、前記第１の無線通信パラメータを用いた前記第１の相手方通信装置との接続が切断されると、第２の相手方通信装置に通知した第２の無線通信パラメータを用いて接続を確立するためのメッセージを送信して、前記第２の相手方通信装置との間の接続の確立を試みる確立手段と、
を有することを特徴とする無線通信装置。
【請求項４】
複数の相手方通信装置のそれぞれと無線で接続して通信を行う無線通信装置であって、
前記複数の相手方通信装置のそれぞれからの接続要求から、当該複数の相手方通信装置のそれぞれが転送するデータ量を取得する取得手段と、
前記複数の相手方通信装置のうちの少なくとも２つについての前記データ量の合計が前記無線通信装置が保持できる量である場合、前記複数の相手方通信装置のうちの少なくとも２つに対して同一の、前記無線通信装置と接続するための無線通信パラメータを通知すると共に、前記複数の相手方通信装置のうちの少なくとも２つについての前記データ量の合計が前記無線通信装置が保持できる量でない場合、当該複数の相手方通信装置のうちの少なくとも２つに対して、互いに異なる前記無線通信パラメータを通知する通知手段と、
第１の相手方通信装置に通知した第１の無線通信パラメータを用いて接続を確立するためのメッセージを送信して、前記第１の無線通信パラメータによる接続を確立すると共に、前記第１の無線通信パラメータを用いた前記接続が切断されると、第２の相手方通信装置に通知した第２の無線通信パラメータを用いて接続を確立するためのメッセージを送信して、前記第２の無線通信パラメータによる接続の確立を試みる確立手段と、
を有することを特徴とする無線通信装置。
【請求項５】
前記複数の相手方通信装置のそれぞれからの接続要求を、接続要求の予約として管理する管理手段をさらに備え、
前記確立手段は、前記接続要求の予約があるかに応じて、前記メッセージを送信するかを決定する、
ことを特徴とする請求項３又は４に記載の無線通信装置。
【請求項６】
前記管理手段は、さらに、前記接続要求が予約された順を管理し、
前記確立手段は、前記接続要求が予約された順に応じて、いずれの前記無線通信パラメータを用いて前記メッセージを送信するかを決定する、
ことを特徴とする請求項５に記載の無線通信装置。
【請求項７】
前記接続要求の優先度の情報を検出する検出手段をさらに有し、
前記管理手段は、さらに、前記接続要求の前記優先度を管理し、
前記確立手段は、前記優先度に応じて、いずれの前記無線通信パラメータを用いて前記メッセージを送信するかを決定する、
ことを特徴とする請求項５に記載の無線通信装置。
【請求項８】
前記無線通信装置に障害が生じた場合に、前記複数の相手方通信装置の少なくとも１つへ、障害が生じたことを通知する障害通知手段をさらに有し、
前記確立手段は、前記無線通信装置に障害が生じた場合に、前記接続を切断した前記複数の相手方通信装置に対して接続を再確立し、
前記障害通知手段は、再確立された接続を介して、前記接続を確立した後に切断した前記複数の相手方通信装置に、前記障害が生じたことを通知する、
ことを特徴とする請求項３から７のいずれか１項に記載の無線通信装置。
【請求項９】
前記複数の相手方通信装置の少なくとも１つは、前記無線通信装置からの障害が生じたことの通知が、前記無線通信装置の復旧が困難である旨を示す通知であった場合、当該複数の相手方通信装置の少なくとも１つの動作を停止する、
ことを特徴とする請求項８に記載の無線通信装置。
【請求項１０】
前記無線通信装置はプリンタであり、
前記複数の相手方通信装置の少なくとも１つから、印刷する画像データを受信した場合、当該画像データを印刷する、
ことを特徴とする請求項３から９のいずれか１項に記載の無線通信装置。
【請求項１１】
前記接続は、１つの印刷ジョブの転送が完了したことに応じて切断される、
ことを特徴とする請求項１０に記載の無線通信装置。
【請求項１２】
前記複数の相手方通信装置の少なくとも１つからの近接無線信号により、前記接続要求を受信する、
ことを特徴とする請求項３から１１のいずれか１項に記載の無線通信装置。
【請求項１３】
前記無線通信装置と前記複数の相手方通信装置の少なくとも１つとが、所定時間内に所定の操作が行われたことを共に検出した場合に、前記接続要求があったと判定する、
ことを特徴とする請求項３から１２のいずれか１項に記載の無線通信装置。
【請求項１４】
前記メッセージが送信される通信方式は、確立される前記接続の通信方式と異なり、当該確立される前記接続の通信方式より消費電力が小さく、前記メッセージが送信される前記通信方式により接続が確認された後に、前記確立される前記接続の前記通信方式へと通信方式が切り替えられる、
ことを特徴とする請求項３から１３のいずれか１項に記載の無線通信装置。
【請求項１５】
無線通信装置であって、
第１の相手方通信装置と、第２の相手方通信装置とのそれぞれからのデータ転送を行うための要求に応じて、前記第１の相手方通信装置と、前記第２の相手方通信装置とのそれぞれに対して、互いに異なる無線通信パラメータを通知する通知手段と、
前記第１の相手方通信装置に通知した第１の無線通信パラメータに基づくネットワークにおける前記第１の相手方通信装置とのデータ転送が終了した場合、前記第２の相手方通信装置に通知した第２の無線通信パラメータに基づくネットワークの存在を報知する報知手段と、
前記報知手段による報知に基づいて、前記第２の相手方通信装置が前記第２の無線通信パラメータに基づくネットワークに接続した場合、前記第２の無線通信パラメータに基づくネットワークおいて前記第２の相手方通信装置とデータ転送を行うデータ転送手段と、
を有することを特徴とする無線通信装置。
【請求項１６】
ＮＦＣまたはＢｌｕｅｔｏｏｔｈ  Ｌｏｗ  Ｅｎｅｒｇｙにより通信を行う第１通信手段と、
前記第１通信手段より、通信距離が長いまたは通信速度が速い第２通信手段と、
を有し、
前記通知手段は、前記第１の相手方通信装置と前記第２の相手方通信装置とのそれぞれからのデータ転送を行うための要求を、前記第１通信手段を介して受信した場合、前記第１の相手方通信装置と前記第２の相手方通信装置とのそれぞれに対して、当該要求の応答として、互いに異なる無線通信パラメータを通知し、
前記データ転送手段は、前記第２通信手段を介してデータ転送を行う、
ことを特徴とする請求項１５に記載の無線通信装置。
【請求項１７】
前記無線通信パラメータは、ネットワーク識別子またはチャネルである、
ことを特徴とする請求項１５または１６に記載の無線通信装置。
【請求項１８】
前記第１の相手方通信装置とのデータ転送において取得したデータと、前記データ転送手段による前記第２の相手方通信装置とデータ転送において取得したデータとを印刷する印刷手段を有する、
ことを特徴とする請求項１５から１７のいずれか１項に記載の無線通信装置。
【請求項１９】
無線通信装置と、当該無線通信装置とそれぞれ無線で接続して通信を行う複数の相手方通信装置とを含む無線通信システムにおける通信方法であって、
前記無線通信装置の通知手段が、前記複数の相手方通信装置のそれぞれからの接続要求に応じて、当該複数の相手方通信装置のそれぞれに対して、互いに異なる、前記無線通信装置と接続するための無線通信パラメータを通知する通知工程と、
第１の相手方通信装置の受信手段が、第１の無線通信パラメータを受信する受信工程と、
第２の相手方通信装置の受信手段が、第２の無線通信パラメータを受信する受信工程と、
前記無線通信装置の確立手段が、前記第１の無線通信パラメータを用いて接続を確立するためのメッセージを送信する送信工程と、
前記第１の相手方通信装置の検出手段が、前記メッセージを検出する検出工程と、
前記無線通信装置の確立手段が、前記第１の無線通信パラメータを用いた接続を確立する確立工程と、
前記第１の相手方通信装置の接続手段が、前記無線通信装置と無線で接続する接続工程と、
前記無線通信装置の確立手段が、前記第１の無線通信パラメータを用いた前記接続が切断されると、前記第２の無線通信パラメータを用いて接続を確立するためのメッセージを送信して、前記第２の相手方通信装置との通信を試みる送信工程と、
を有することを特徴とする通信方法。
【請求項２０】
無線通信装置と、当該無線通信装置とそれぞれ無線で接続して通信を行う複数の相手方通信装置とを含む無線通信システムにおける通信方法であって、
前記無線通信装置の取得手段が、前記複数の相手方通信装置のそれぞれからの接続要求から、当該複数の相手方通信装置のそれぞれが転送するデータ量を取得する取得工程と、
前記無線通信装置の通知手段が、前記複数の相手方通信装置のうちの少なくとも２つについての前記データ量の合計が前記無線通信装置が保持できる量である場合、前記複数の相手方通信装置のうちの少なくとも２つに対して同一の、前記無線通信装置と接続するための無線通信パラメータを通知すると共に、前記複数の相手方通信装置のうちの少なくとも２つについての前記データ量の合計が前記無線通信装置が保持できる量でない場合、当該複数の相手方通信装置のうちの少なくとも２つに対して、互いに異なる前記無線通信パラメータを通知する通知工程と、
第１の相手方通信装置の受信手段が、第１の無線通信パラメータを受信する受信工程と、
第２の相手方通信装置の受信手段が、第２の無線通信パラメータを受信する受信工程と、
前記無線通信装置の確立手段が、前記第１の無線通信パラメータを用いて接続を確立するためのメッセージを送信する送信工程と、
前記第１の相手方通信装置の検出手段が、前記メッセージを検出する検出工程と、
前記無線通信装置の確立手段が、前記第１の無線通信パラメータを用いた接続を確立する確立工程と、
前記第１の相手方通信装置の接続手段が、前記無線通信装置と無線で接続する接続工程と、
前記無線通信装置の確立手段が、前記第１の無線通信パラメータを用いた前記接続が切断されると、前記第２の無線通信パラメータを用いて接続を確立するためのメッセージを送信して、前記第２の相手方通信装置との通信を試みる送信工程と、
を有することを特徴とする通信方法。
【請求項２１】
複数の相手方通信装置のそれぞれと無線で接続して通信を行う無線通信装置の制御方法であって、
通知手段が、前記複数の相手方通信装置のそれぞれからの接続要求に応じて、当該複数の相手方通信装置のそれぞれに対して、互いに異なる、前記無線通信装置と接続するための無線通信パラメータを通知する通知工程と、
確立手段が、第１の相手方通信装置に通知した第１の無線通信パラメータを用いて接続を確立するためのメッセージを送信して、前記第１の相手方通信装置との間の接続を確立すると共に、前記第１の無線通信パラメータを用いた前記第１の相手方通信装置との接続が切断されると、第２の相手方通信装置に通知した第２の無線通信パラメータを用いて接続を確立するためのメッセージを送信して、前記第２の相手方通信装置との間の接続の確立を試みる確立工程と、
を有することを特徴とする制御方法。
【請求項２２】
複数の相手方通信装置のそれぞれと無線で接続して通信を行う無線通信装置の制御方法であって、
取得手段が、前記複数の相手方通信装置のそれぞれからの接続要求から、当該複数の相手方通信装置のそれぞれが転送するデータ量を取得する取得工程と、
通知手段が、前記複数の相手方通信装置のうちの少なくとも２つについての前記データ量の合計が前記無線通信装置が保持できる量である場合、前記複数の相手方通信装置のうちの少なくとも２つに対して同一の、前記無線通信装置と接続するための無線通信パラメータを通知すると共に、前記複数の相手方通信装置のうちの少なくとも２つについての前記データ量の合計が前記無線通信装置が保持できる量でない場合、当該複数の相手方通信装置のうちの少なくとも２つに対して、互いに異なる前記無線通信パラメータを通知する通知工程と、
確立手段が、第１の相手方通信装置に通知した第１の無線通信パラメータを用いて接続を確立するためのメッセージを送信して、前記第１の無線通信パラメータによる接続を確立すると共に、前記第１の無線通信パラメータを用いた前記接続が切断されると、第２の相手方通信装置に通知した第２の無線通信パラメータを用いて接続を確立するためのメッセージを送信して、前記第２の無線通信パラメータによる接続の確立を試みる確立工程と、
を有することを特徴とする制御方法。
【請求項２３】
コンピュータを請求項３から１８のいずれか１項に記載の無線通信装置が備える各手段として機能させるためのプログラム。